(57)【要約】      （修正有）【課題】手の汚れ問題や箱体を組み立てるための手間のかかる問題を解決するゴキブリ捕獲器を提供する。【解決手段】ゴキブリ捕獲器１０は、上下に伸縮可能な且つ互いに接着された上半部１１と下半部１２を含み、上半部１１と下半部１２の間にスペースが形成され、スペースの中にゴキブリ捕獲用の粘着シート、ゴキブリ誘引剤、及び粘着シートとスペースの内壁との粘着を防ぐ粘着防止構造が設置され、上半部１１と下半部１２にゴキブリが外部からスペースに入る侵入口１７が開設される。ゴキブリ捕獲器１０は、粘着防止の構造を有するため、粘着シートによる上半部１１と下半部１２の開閉困難が避けられる。使用の際、上半部１１と下半部１２を上下方向に引っ張ることを通じ、両者間のスペースが膨らんで、侵入口１７が開けられる。【選択図】図１３
0003199193.tif 000002
【実用新案登録請求の範囲】
【請求項１】
上下に伸縮可能で且つ互いに接着された上半部と下半部を含み、前記上半部と前記下半部の間にスペースが形成され、前記スペースにゴキブリを捕獲するための粘着シート、誘引剤、及び前記粘着シートと前記スペースの内壁との粘着を防ぐ粘着防止構造が設置され、前記上半部と前記下半部にゴキブリが入れる侵入口が開設されることを特徴とする上下または横に開閉可能なゴキブリ捕獲器。
【請求項２】
前記粘着シートが前記下半部の底部内側面に設置され、前記粘着防止構造が前記上半部の頂部内側面に設置されることを特徴とする請求項１に記載の上下または横に開閉可能なゴキブリ捕獲器。
【請求項３】
前記粘着シートが前記スペースの上下内側面の間に支持し、前記上半部と前記下半部にも前記粘着防止構造が設置されることを特徴とする請求項１に記載の上下または横に開閉可能なゴキブリ捕獲器。
【請求項４】
前記上半部と前記下半部の両端の接着により、ユーザに剥がされる扁平構造が形成され、前記上半部と前記下半部にいずれも側壁の強度を増加させる補強構造が設置されることを特徴とする請求項１に記載の上下または横に開閉可能なゴキブリ捕獲器。
【請求項５】
前記粘着シートが前記スペースの側壁に回転連接されていることを特徴とする請求項4に記載の上下または横に開閉可能なゴキブリ捕獲器。
【請求項６】
前記上半部と前記下半部とを一体にさせることによって、上表面と下表面が圧着可能な長方体が形成され、前記長方体の両端にある開き口が侵入口であることを特徴とする請求項１に記載の上下または横に開閉可能なゴキブリ捕獲器。
【請求項７】
前記上半部と前記下半部の左右両側の接着により、前後両側に前記開き口が形成され、前記左右両側の側面にそれぞれ半分透かし彫りの折り目線が設置され、前記折り目線の両端がそれぞれ前記前後両側の前記開き口まで延伸することを特徴とする請求項１に記載の上下または横に開閉可能なゴキブリ捕獲器。
【請求項８】
前記粘着防止構造は前記上半部の内側面または前記下半部の内側面に設置される離型紙、防粘剤、シリコンオイルまたは突起であることを特徴とする請求項１〜７のいずれか１項に記載の上下または横に開閉可能なゴキブリ捕獲器。
【請求項９】
前記侵入口は前記スペースと外部をつなぐ通気穴であることを特徴とする請求項１〜７のいずれか１項に記載の上下または横に開閉可能なゴキブリ捕獲器。
【請求項１０】
前記上半部と前記下半部にいずれも上下に開閉することを便利にする取っ手が設置されることを特徴とする請求項１〜７のいずれか１項に記載の上下または横に開閉可能なゴキブリ捕獲器。
【考案の詳細な説明】
【技術分野】
【０００１】
本考案はゴキブリ捕獲器の技術分野に属し、特に上下または横に開閉可能なゴキブリ捕獲器の技術分野に関する。
【背景技術】
【０００２】
ゴキブリは人間に対して多種の疾病を発病させたり、伝播させたりする害虫だといわれている。ゴキブリの駆除は多くの家庭にとっては悩ましいミッションである。
【０００３】
今現在、ゴキブリ捕獲器は家庭向けゴキブリ駆除の手段の一つとして広く利用されている。通常のゴキブリ捕獲器は、カットされたカートン紙一枚と粘着シート一枚、そしてゴキブリ誘引剤から構成されている。カートン紙を折って箱体ができ、粘着シートを箱体の中に放置してゴキブリを捕獲する。使用する際には、粘着シートを箱体の底部に放置し、粘着シート上にある離型紙を剥離し、最後にゴキブリ誘引剤を粘着シートの中央に置いてゴキブリを誘引する。
【０００４】
しかしながら、通常な使い方では、離型紙を剥がさないといけないし、化学成分が含まれる誘引剤を粘着シート上におく必要もある。手が粘着シートや誘引剤に接触してしまうから、衛生上の問題が発生する。また、カートン紙を箱体へ組み立てる必要もあるゆえ手間がかかる。
【考案の概要】
【考案が解決しようとする課題】
【０００５】
本考案の目的は、上下または横に開閉可能なゴキブリ捕獲器を提供し、通常のゴキブリ捕獲器が従来より存在する手の汚れ問題や箱体を組み立てるための手間のかかる問題を解決することである。
【課題を解決するための手段】
【０００６】
上述の技術課題を解決するために、本考案が提供する上下または横に開閉可能なゴキブリ捕獲器の技術案は、上下に伸縮可能な且つ互いに接着された上半部と下半部を含み、前記上半部と前記下半部の間にスペースが形成され、前記スペースにゴキブリを捕獲するための粘着シート、誘引剤、及び前記粘着シートと前記スペースの内壁との粘着を防ぐ粘着防止構造が設置され、前記上半部と前記下半部にゴキブリが入れる侵入口が開設される。
【０００７】
さらに、前記粘着シートが前記下半部の底部内側面に設置され、前記粘着防止構造が前記上半部の頂部内側面に設置される。
【０００８】
さらに、前記粘着シートが前記スペースの上下内側面の間に支持し、前記上半部と前記下半部にも前記粘着防止構造が設置される。
【０００９】
さらに、前記上半部と前記下半部の両端の接着により、ユーザに剥がされる扁平構造が形成され、前記上半部と前記下半部にいずれも側壁の強度を増加させる補強構造が設置される。
【００１０】
さらに、前記粘着シートが前記スペースの側壁に回転連接されている。
【００１１】
さらに、前記上半部と前記下半部とを一体にさせることによって、上表面と下表面が圧着可能な長方体が形成され、前記長方体の両端にある開き口が侵入口である。
【００１２】
さらに、前記上半部と前記下半部の左右両側の接着により、前後両側に前記開き口が形成され、前記左右両側の側面にそれぞれ半分透かし彫りの折り目線が設置され、前記折り目線の両端がそれぞれ前記前後両側の前記開き口まで延伸する。
【００１３】
さらに、前記粘着防止構造は前記上半部の内側面または前記下半部の内側面に設置される離型紙、防粘剤、シリコンオイルまたは突起である。
【００１４】
さらに、前記侵入口は前記スペースと外部をつなぐ通気穴である。
【００１５】
さらに、前記上半部と前記下半部にいずれも上下に開閉することを便利にする取っ手が設置される。
【考案の効果】
【００１６】
本考案が従来技術より有益な効果は、以下の通りである。
上述の上下または横に開閉可能なゴキブリ捕獲器には粘着防止構造を用いるため、上半部と下半部が粘着シートとの貼り合わせによる上下方向の開閉困難が避けられる。従って、使用時、上下方向に上半部と下半部を引っ張ることを通じ、両部分の間にあるスペースが膨張し、スペースの容積が増大し、スペースへの侵入口も開ける。その時、ゴキブリ誘引剤のにおいが外部空気へ発散し、ゴキブリを侵入口から中のスペースへ誘い、そして粘着シートがゴキブリを捕獲してしまう。そうすると、伸縮可能なゴキブリ捕獲器は、ただ上下方向に箱体の上半部と下半部を引っ張ることによりゴキブリを捕まえることができる。従来のゴキブリ捕獲器と比べると、手が粘着シートやゴキブリ誘引剤に接触してしまうという衛生問題や、手動でカートン紙を組み立てるための手間のかかる問題を避けることができる。
【図面の簡単な説明】
【００１７】
【図１】図１は本考案が提供する上下または横に開閉可能なゴキブリ捕獲器の立体構造図である。
【図２】図２は本考案の実施例１が提供する上下または横に開閉可能なゴキブリ捕獲器の粘着防止構造を離型紙にする時の断面図である。
【図３】図３は本考案の実施例１が提供する上下または横に開閉可能なゴキブリ捕獲器の粘着防止構造をシリコンオイルにする時の断面図である。
【図４】図４は本考案の実施例１が提供する上下または横に開閉可能なゴキブリ捕獲器の粘着防止構造を突起にする際の断面図である。
【図５】図５本考案の実施例２が提供する上下または横に開閉可能なゴキブリ捕獲器の断面図である。
【図６】図６は本考案の実施例２が提供する上下または横に開閉可能なゴキブリ捕獲器の他の断面図である。
【図７】図７は本考案の実施例３が提供する上下または横に開閉可能なゴキブリ捕獲器の未使用時の立体構造図である。
【図８】図８は本考案の実施例３が提供する上下または横に開閉可能なゴキブリ捕獲器の使用時の立体構造図である。
【図９】図９は本考案の実施例４が提供する上下または横に開閉可能なゴキブリ捕獲器の使用時の立体構造図である。
【図１０】図１０は本考案が提供する上下または横に開閉可能なゴキブリ捕獲器に取っ手が含まれる時の立体構造図である。
【図１１】図１１は図１０が提供する上下または横に開閉可能なゴキブリ捕獲器の使用時の立体構造図である。
【図１２】図１２は本考案の実施例５が提供する上下または横に開閉可能なゴキブリ捕獲器の折り目線が弧線である場合の上面図である。
【図１３】図１３は本考案の実施例５が提供する上下または横に開閉可能なゴキブリ捕獲器の未使用時の立体構造図である。
【図１４】図１４は本考案の実施例５が提供する上下または横に開閉可能なゴキブリ捕獲器の使用時の立体構造図である。
【図１５】図１５は本考案の実施例５が提供する上下または横に開閉可能なゴキブリ捕獲器の折り目線が直線である場合の上面図である。
【図１６】図１６は本考案の実施例５が提供する上下または横に開閉可能なゴキブリ捕獲器の折り目線が弧線である場合の他の上面図である。
【考案を実施するための形態】
【００１８】
本考案の目的や技術方法、及びメリットをより明白にするために、図面と実施例を参照しながら本考案を詳細に説明する。ここに記載の具体的な実施例とは、本考案を解釈するためのものであり、本考案を限定するものではないことを承知されたい。
【００１９】
本考案が提供する好ましい実施例は図１〜図１６に示される。
【００２０】
説明しておきたいのは、ある部品がもう一つの部品に「固定される」或いは「設置される」と述べると、その部品が直接にもう一つの部品の上に存在してもよく、または間にジョイント用の部品が同時に存在してもよい。また、ある部品がもう一つの部品に「連接される」と述べると、その部品は直接にもう一つの部品に接続されてもよく、または間にジョイント用の部品が同時に存在してもよい。
【００２１】
もう一点説明が必要なのは、本実施例に使われる左、右、上、下などの方位名詞とは、互いに相対的な概念であり、或いは製品の正常的な使用状態を参考した結果である。限定性があるとみなされるべきではない。
【００２２】
本実施例が提供する上下または横に開閉可能なゴキブリ捕獲器１０は、家庭向けのゴキブリ駆除に広く適用されている以外に、ヤモリやネズミなどの害虫を捕獲することも可能である。
【００２３】
図１と図２に示すように、上下に伸縮可能な且つ合体された上半部１１と下半部１２があり、上半部１１と下半部１２の間にスペース１３があり、スペース１３にはゴキブリを捕獲するための粘着シート１４およびゴキブリ誘引剤１５、粘着シート１４とスペース１３の内壁との粘着を防ぐ粘着防止構造１６がある。そして、上半部１１と下半部１２に、ゴキブリが粘着シート１４への侵入口１７も設置されている。
【００２４】
説明が必要なのは、図１と図２に示すように、上述の上下または横に開閉可能なゴキブリ捕獲器１０が使用されない時に、上半部１１と下半部１２は密着した扁平状態である。コンパクトで収納や包装、保存などに便利だし、上半部１１と下半部１２の密着状態によって、侵入口１７が封じられてる。換言すれば、上下または横に開閉可能なゴキブリ捕獲器１０が使用される前に、侵入口１７が閉じられることにより、ゴキブリ誘引剤のにおいが侵入口１７を経由してスペース１３の外部空気に発散することによる誘引効力の低減が避けられる。
【００２５】
本実施例が提供する上下または横に開閉可能なゴキブリ捕獲器１０が従来技術と比べ有益な効果は下記のとおりである。
【００２６】
図１と図２に示すように、上述の上下または横に開閉可能なゴキブリ捕獲器１０は粘着防止構造１６を用いるため、本体の上半部１１と下半部１２が粘着シート１４との貼り合わせによる上下方向の開閉困難を避けることができる。従って、上下方向に上半部１１と下半部１２を引っ張ることを通し、上下部分の間にあるスペース１３が膨張し、スペース１３の容積が増大し、スペース１３への侵入口１７も開ける。その際に、ゴキブリ誘引剤１５のにおいがスペース１３の外部空気へ発散し、ゴキブリを侵入口１７からスペース１３まで誘い、そして粘着シート１４がゴキブリを捕獲する。これによって、上述の伸縮可能なゴキブリ捕獲器１０は、ただ上下方向に上半部１１と下半部１２を引っ張ることによりゴキブリを捕獲ことができる。従来技術を採用しているゴキブリ捕獲器と比べると、手が粘着シート１４やゴキブリ誘引剤１５に接触してしまうという衛生問題、および手でカートン紙を箱体へ組み立てるための手間のかかる問題を防止することがである。
【００２７】
説明が必要なのは、図１に示すように、上半部１１と下半部１２の材質は紙、プラスチック、或いはアルミと紙との二層構造の紙を用いてもよい。本実施例では、上半部１１と下半部１２の材質を紙にしたが、ほかの実施例では、上半部１１と下半部１２が上下方向に引っ張られることが可能だという条件に満たされる材質を採用してもよい。
【実施例１】
【００２８】
図１〜図４に示すように、粘着シート１４は下半部１２の底部内側面に、粘着防止構造１６は上半部１１の上部内側面に設置されている。粘着防止構造１６は、離型紙１６１、防粘剤（図示せず）、シリコンオイル１６２または突起１６３でよい。侵入口１７は、スペース１３と外部と連接する通気穴１７１で、その通気穴１７１は上半部１１或いは下半部１２に設置され、好ましくは、通気穴１７１が上半部１１の上表面を貫通する。通気穴１７１の密封構造は、シール紙または半分透かし彫りの材料でよい。また、ゴキブリ誘引剤１５を粘着シート１４の上に、スペース１３の内壁に、或いは誘引剤１５がスペース１３の内部に置く条件に満たされる任意な場所でもよい。
【００２９】
使用時のプロセスは以下のとおりである。図１〜図４に示すように、離型紙１６１、防粘剤、シリコンオイル１６２や突起１６３などの粘着防止構造を採用したため、上半部１１の上部内側面が粘着シートとの接着による上下方向の開閉困難が避けられる。従って、ゴキブリ捕獲器１０を使用する際、まず通気穴１７１の密封構造（たとえば離型紙）を剥離し、侵入口１７を開き、そして上半部１１を上方向に引っ張ることを通じ、上半部と粘着シートが離れていく。外部空気が通気穴１７１を経由しスペース１３に流れ込み、スペース１３の容積が増大し、上半部が最大限に引っ張られる際にスペースの容積も最大になる。同時に、ゴキブリ誘引剤１５のにおいが外部空気へ発散し、ゴキブリを通気穴１７１からスペース１３へ誘引するのである。
【実施例２】
【００３０】
実施例２の構造は実施例１とはほぼ同一であるが、違うところを下記のとおりである。
【００３１】
図１〜図６に示すように、粘着シート１４はスペース１３の上部内側面と底部内側面の間に支えられ、上半部１１と下半部１２にはそれぞれ粘着防止構造１６が設置されている。粘着シート１４の上下両表面には粘着剤が塗布されてある。粘着防止構造１６の材料は、離型紙１６１、防粘剤、シリコンオイル１６２または突起１６３のいずれかでよい。上半部１１および下半部１２には同じ粘着防止構造１６（例えば離型紙１６１、防粘剤、シリコンオイル１６２或いは突起１６３）を同時に採用してもよく、それぞれ違う粘着防止構造１６を採用してもよい（例えば上半部１１には離型紙１６１、下半部１２には突起１６３）。即ち、挙げられた粘着防止構造１６の材料の中から任意な二種を設置すればよい。
使用時のプロセスは以下のとおりである。上述の上下または横に開閉可能なゴキブリ捕獲器１０を使用する際には、まず通気穴１７１の上の離型紙を剥がし、侵入口１７を開け、上半部１１を上方向に、下半部１２を下方向に引っ張っていく。これによって、上半部１１と下半部１２が粘着シート１４からより離れていく。外部空気がスペース１３の容積が最大になるまで満ちてくる。最後に、誘引剤の影響でゴキブリが通気穴１７１を通して、スペース１３に入って粘着シート１４に捕獲される。
【００３２】
実施例２は実施例１と比べると、粘着シート１４上の空間をより十分に活かしながら粘着剤を設置した結果、実施例２が提供する上下または横方向に開閉可能なゴキブリ捕獲器１０の粘着剤の利用面積がより広くなり、ゴキブリの捕獲効果も増加できる。
【実施例３】
【００３３】
図７と図８に示すように、上半部１１と下半部１２の両端にある接着された部分は、使用時ユーザに剥がされる扁平構造１８が形成される。上半部１１と下半部１２の上には、側面の強度を増加させるための補強構造１９が設置されている。
【００３４】
図２〜図４、図７と図８を同時に参照し、本実施例に挙げられた粘着シート１４は、下半部１２の底部内側面に設置されてもよく、或いはスペース１３の上下内側面の間に支持してもよい。粘着防止構造１６を上半部１１の上内側面に設置しもよく、或いは下半部１２の底部内側面に設置してもよい。粘着防止構造１６を離型紙１６１、防粘剤、シリコンオイル１６２または突起１６３のいずれかに選定してもよい。ゴキブリ誘引剤１５は、スペース１３の中に置くという利用条件に満たされるとよいのである。
使用のプロセスは下記のとおりである。使用の際、まず両端にある扁平構造１８を剥離し、剥がされた後の両端に位置する開き口がゴキブリのスペース１３への侵入口１７になる。そして、両端にある開き口を奥に押しながら箱体を膨らませる。上半部１１と下半部１２の側面に補強構造１９が設置されてあるため、側面の強度は強められている。このため、開き口の開口状態は大きく保つことができる。したがって、ゴキブリ誘引剤１５のにおいがより強く発散することができ、より多くのゴキブリをスペース１３の中へ誘引することができる。
【００３５】
説明しておきたいのは、図７に示すように、補強構造１９の材料をソフトワイヤやカートン紙に選定してもよく、或いは側壁の厚さを増加することによって側壁の強度を高めてもよい。好ましくは、補強構造１９を扁平構造１８と隣接する側壁に、すなわち開き口に設置することにした。
【００３６】
また、図７に示すように、粘着シート１４はスペース１３の側壁に回転連接されている。本体両端にある扁平構造１８を外した後、粘着シート１４を扁平構造１８の平面と垂直になるまで回すことができる。そうすると、開き口は粘着シート１４に支えられて開けられる。スペース１３の側壁からの反発力によって、粘着シート１４は安定に固定される。或いは、粘着シート１４を回した後、粘着シート１４を固定させる構造を設置することによって、粘着シート１４がスペース１３の側壁に安定に支えられる。
説明が必要なのは、開けられた開き口の形状は楕円形であり、すなわち上半部１１と下半部１２が形成した箱体は楕円の形状をしている。使用の際、上述の上下または横に開閉可能なゴキブリ捕獲器１０を床に置くと、楕円形をしているスペース１３の中にある粘着シート１４が、床より一定の高さを保つことになる。これによって、粘着シート１４にある粘着剤は湿りにくく、粘着力と誘引剤の効力も長く保つことができる。
【実施例４】
【００３７】
図９に示すように、上半部１１と下半部１２を一体にして、上下表面が圧着できる長方体に形成させ、その長方体両端の開き口が侵入口１７を形成する。
【００３８】
使用する前に、上半部１１と下半部１２が圧着された扁平状であるため、長方体両端の侵入口１７も押し付けられて密封される。使用の際に、上下方向に上半部１１と下半部１２を引っ張ることにより、長方体が立体まで伸長することができる。その時、長方体両端にある侵入口１７が開けられ、ゴキブリはそれを経由して長方体の中のスペース１３まで誘引される。
【実施例５】
【００３９】
下記の記述については、図１〜図６、および図１２〜図１６を総合的に参照されたい。
【００４０】
図１２に示すように、上半部１１と下半部１２の左右両側の接着により、前後両側に侵入口１７が形成され、左右両側の側面にそれぞれ半分透かし彫りの折り目線２１が設置され、折り目線２１の両端が前後両側面にある侵入口１７まで延伸されている。
【００４１】
使用する前に、上半部１１と下半部１２が圧着された扁平状である。使用時には、上半部１１と下半部１２の左右両側の側縁を押し付けることにより、それらをスペース１３へ収縮させ、左右両側縁が折り目線２１の形状に沿って上半部１１と下半部１２を支える。そして、上半部１１と下半部１２が粘着防止構造１６の作用でスムーズに分離することができ、外に向けて膨らんでいる。同時に、スペース１３は徐々に拡大され、前後両端にある侵入口１７も徐々に大きく開けられる。
【００４２】
好ましくは、図２、図１２及び図１３に示すように、侵入口１７は、断面の形状がいずれもアーチ型である上半部１１と下半部１２により囲まれて形成される。従って、両端の侵入口１７が徐々に開けられる過程に、最初に引っ張られるのは、上半部１１と下半部１２のアーチの上部と底部である。引っ張られる幅が広ければ広いほど引っ張られる距離が大きい。そして最後に引っ張られるのはアーチ両端の連接のところである。同様に、粘着防止構造１６と粘着シート１４の分離も上部と底部の接合部分から両側へ行われていく。
【００４３】
説明が必要になるのは、粘着防止構造１６は離型紙１６１、防粘剤、シリコンオイル１６２或いは突起１６３でよい。
【００４４】
図１２、図１３と図１５に示すように、本実施例の折り目線２１の形状は直線状とアーチ状で、他の実施例では、折り目線２１をほかの形状にしてもよい。ただ上半部１１と下半部１２をその折り目線２１の形状に沿って立たすことができるという使用条件に満たされるとよい。
【００４５】
図１３、図１６に示すように、無論、上半部１１と下半部１２における折り目線２１の具体的な位置は、上半部１１と下半部１２の左右両側が接着した縁から中部まで延伸することが可能である。上半部１１と下半部１２を折り目線２１の形状に沿って立たすことができるという使用条件さえに満たされれば、折り目線の具体的な位置を実情に基づいて設置すればよい。
【００４６】
図１０と図１１が示すとおりに、上半部１１と下半部１２の開閉を便利にさせるために、上半部１１と下半部１２両方の上に取っ手２０を設置してある。
【００４７】
以上は本考案の好ましい実施例にすぎないし、本考案を限定するわけではない。本考案の精神と原則のもとに行われたいかなる修正や同等代替、改善などは、すべて本考案の保護範囲内に包含されるべきである。
【図１】
0003199193.tif 000003
【図２】
0003199193.tif 000004
【図３】
0003199193.tif 000005
【図４】
0003199193.tif 000006
【図５】
0003199193.tif 000007
【図６】
0003199193.tif 000008
【図７】
0003199193.tif 000009
【図８】
0003199193.tif 000010
【図９】
0003199193.tif 000011
【図１０】
0003199193.tif 000012
【図１１】
0003199193.tif 000013
【図１２】
0003199193.tif 000014
【図１３】
0003199193.tif 000015
【図１４】
0003199193.tif 000016
【図１５】
0003199193.tif 000017
【図１６】
0003199193.tif 000018
【手続補正書】
【提出日】平成27年6月5日(2015.6.5)
【手続補正１】
【補正対象書類名】実用新案登録請求の範囲
【補正対象項目名】請求項７
【補正方法】変更
【補正の内容】
【請求項７】
前記上半部と前記下半部の左右両側の接着により、前後両側に前記開き口が形成され、前記左右両側の側面にそれぞれ半分透かし彫りの折り目線が設置され、前記折り目線の両端がそれぞれ前記前後両側の前記開き口まで延伸することを特徴とする請求項６に記載の上下または横に開閉可能なゴキブリ捕獲器。